(57)【要約】【課題】使い方が理解され易い星座早見盤を提供する。【解決手段】星座早見盤は、本体盤１１とその本体盤１１に対して回転される回転盤２１とを備えている。本体盤１１は回転盤２１に表示された星座の中から観察の対象となる星座を視認可能とする本体窓部１２を有する。星座早見盤は、本体窓部１２を介して視認される星座と星空とを対比するために用いられる。星座早見盤は、複数の方位表示部５１と、各方位表示部５１に対応した星座早見盤の使い方の説明を表示する複数の説明表示部６１とを有する。各説明表示部６１は、それぞれ対応する方位表示部５１に隣り合って配置されている。【選択図】図２
0003182486.tif 000002
【実用新案登録請求の範囲】
【請求項１】
本体盤と前記本体盤に対して回転される回転盤とを備え、前記本体盤は前記回転盤に表示された星座の中から観察の対象となる星座を視認可能とする本体窓部を有し、前記本体窓部を介して視認される星座と星空とを対比するために用いられる星座早見盤であって、
複数の方位表示部と、前記複数の方位表示部に対応して前記星座早見盤の使い方の説明を表示する複数の説明表示部とを有し、
前記複数の説明表示部は、それぞれ対応する前記方位表示部に隣り合って配置されていることを特徴とする星座早見盤。
【請求項２】
前記本体盤に重ねて配置されるカバーを備え、前記カバーが前記複数の説明表示部を備えることを特徴とする請求項１に記載の星座早見盤。
【請求項３】
前記複数の説明表示部は、イラストレーション又は説明文を含むこと特徴とする請求項１又は請求項２に記載の星座早見盤。
【請求項４】
前記複数の説明表示部は、前記説明文を含み、
前記複数の説明表示部において前記説明文を構成する文字の配列される向きは互いに異なることを特徴とする請求項３に記載の星座早見盤。
【請求項５】
前記説明文を構成する文字は、使用者が前記星座早見盤の正しい持ち方にしたがって前記星座早見盤を持ったときの目線において正しく読み取れる向きで配列されていることを特徴とする請求項４に記載の星座早見盤。
【考案の詳細な説明】
【技術分野】
【０００１】
本考案は、星空を観察する際に用いられる星座早見盤に関する。
【背景技術】
【０００２】
星座早見盤は、星空の観察するための教材として知られている（例えば、特許文献１参照）。星座早見盤は、本体盤とその本体盤に対して回転される回転盤とを備え、回転盤に表示された星座が本体盤の有する本体窓部を介して視認されるように構成されている。本体盤には時刻の目盛りが表示される一方で、回転盤には月日の目盛りが表示されている。さらに、本体盤には複数の方位表示部が本体窓部の外周に沿って配置されている。星座早見盤を使用する際には、星空を観察する日時に応じて時刻目盛りに月日目盛りを合わせる。次に、星座早見盤の使用者は、本体盤に表示される複数の方位表示部の中から観察する方位が表示されている方位表示部を選択し、その方位表示部が下方となるように星座早見盤を手で持つ。続いて、使用者は星座早見盤を頭の上にかざすように移動させて、本体窓部を介して視認される星と実際の星空の星とを対比する。
【先行技術文献】
【特許文献】
【０００３】
【特許文献１】実用新案登録第３１０１３１８号公報
【考案の概要】
【考案が解決しようとする課題】
【０００４】
上述した星座早見盤は、それを初めて使用する児童のみではなく、教員や保護者にとっても使い方を理解するのが難しい教材である。
本考案は、こうした実情に鑑みてなされたものであり、その目的は、使い方が理解され易い星座早見盤を提供することにある。
【課題を解決するための手段】
【０００５】
本考案は、星座早見盤の使い方の中でも、本体盤の有する複数の方位表示部の中から、特定の方位表示部を選択することは把握され易いものの、その方位表示部と星座早見盤の使い方とを関連づけて理解することが困難であることに着目することでなされたものである。
【０００６】
上記課題を解決する星座早見盤は、本体盤と前記本体盤に対して回転される回転盤とを備え、前記本体盤は前記回転盤に表示された星座の中から観察の対象となる星座を視認可能とする本体窓部を有し、前記本体窓部を介して視認される星座と星空とを対比するために用いられる星座早見盤であって、複数の方位表示部と、前記複数の方位表示部に対応して前記星座早見盤の使い方の説明を表示する複数の説明表示部とを有し、前記複数の説明表示部は、それぞれ対応する前記方位表示部に隣り合って配置されている。
【０００７】
上記星座早見盤において、前記本体盤に重ねて配置されるカバーを備え、前記カバーが前記複数の説明表示部を備えることが好ましい。
上記星座早見盤において、前記複数の説明表示部は、イラストレーション又は説明文を含むことが好ましい。
【０００８】
上記星座早見盤において、前記複数の説明表示部は、前記説明文を含み、前記複数の説明表示部において前記説明文を構成する文字の配列される向きは互いに異なることが好ましい。
【０００９】
上記星座早見盤において、前記説明文を構成する文字は、使用者が前記星座早見盤の正しい持ち方にしたがって前記星座早見盤を持ったときの目線において正しく読み取れる向きで配列されていることが好ましい。
【考案の効果】
【００１０】
本考案によれば、星座早見盤の使い方が理解され易くなる。
【図面の簡単な説明】
【００１１】
【図１】星座早見盤の概略を示す分解斜視図。
【図２】星座早見盤を示す正面図。
【図３】星座早見盤の要部を示す正面図。
【図４】星座早見盤のカバーを開放した状態を示す正面図。
【考案を実施するための形態】
【００１２】
以下、星座早見盤の実施形態を図面に基づいて説明する。
＜全体構成＞
図１及び図２に示すように、星座早見盤は、本体盤１１とその本体盤１１に対して回転される回転盤２１とを備えている。本体盤１１は、回転盤２１に表示された星座の中から観察の対象となる星座を視認可能とする本体窓部１２を有している。星座早見盤は、本体窓部１２を介して視認される星座と星空とを対比するために用いられる。
【００１３】
図２に示すように、回転盤２１の外周部分には観測する月日を設定するための月日目盛り２２が表示されるとともに、本体盤１１の外周部分には観測する時刻を設定するための時刻目盛り２３が表示されている。
【００１４】
星座早見盤は、さらにカバー３１を備えている。カバー３１は、回転盤２１とは反対側となる本体盤１１の表面に重ねて配置される表面部３２と回転盤２１の裏面に重ねて配置される裏面部３３とから構成されている。表面部３２は、本体窓部１２を覆うカバー窓部３２ａを有している。表面部３２の端縁と裏面部３３の端縁とは連結部３４により連結されている。カバー３１は、連結部３４を折り目として表面部３２と裏面部３３とが重なるように折り曲げた状態から表面部３２と裏面部３３とが離間する方向に延ばすことが可能に構成されている。
【００１５】
図２に示すように、裏面部３３、回転盤２１、及び本体盤１１は、雄型スナップファスナの基端部４１により係止され、回転盤２１は、基端部４１を軸として回転される。一方、表面部３２には雌型スナップファスナが設けられ、雌型スナップファスナと雄型スナップファスナとが係止されることで、カバー３１は表面部３２が本体盤１１に重なるように折り曲げた状態で保持される。また、カバー３１は、雄型スナップファスナの基端部４１が挿通される孔の周囲を強制的に変形させたり、切り込みを入れたりすることで本体盤１１から除去可能である。
【００１６】
本体盤１１及びカバー３１は、樹脂シートを基材として構成されている。回転盤２１は、例えば、円形を有する厚紙を基材として構成されている。
＜方位表示部及び説明表示部の構成＞
図２に示すように、本体窓部１２の周囲には、「東」、「西」、「南」及び「北」の各方位を表示する方位表示部５１が設けられている。ここで、星座早見盤は、複数の方位表示部５１の中から、観察しようとする方位が表示された特定の方位表示部５１を使用者が選択し、選択した方位表示部５１を下方に向ける持ち方を通じて使用される。例えば、使用者が「東」の星空を観察しようとする場合、「東」の方位表示部５１を下方に向ける持ち方が正しい持ち方である。「東」の方位表示部５１は、使用者が星座早見盤を正しい持ち方にしたがって持ったときの目線において「東」の文字として正しく読み取れる向きで表示されている。
【００１７】
なお、「西」、「南」及び「北」の各方位を表示する各方位表示部５１についても、使用者が正しい持ち方にしたがって星座早見盤を持ったときの目線において、各方位を示す文字は正しく読み取れる向きで表示されている。
【００１８】
図２に示すように、表面部３２には、各方位表示部５１に対応して星座早見盤の使い方の説明を表示する複数の説明表示部６１を備えている。複数の説明表示部６１は、それぞれ対応する方位表示部５１に隣り合って配置されている。各説明表示部６１は、イラスト領域６２と説明文領域６３とを有している。
【００１９】
図３に示すように、各イラスト領域６２には、星座早見盤の持ち方を表すイラストレーションが表示されている。こうしたイラスト領域６２は、星座早見盤の表面側の概略を図示した早見盤イラスト６２ａと、星座早見盤の使用者を模式的に図示した使用者イラスト６２ｂとから構成されている。各早見盤イラスト６２ａには、星座早見盤の外形及び本体窓部の外形が含まれている。また、各早見盤イラスト６２ａには、使用者が観察しようとする方位を表す方位表示部が誇張されて表示されている。各使用者イラスト６２ｂには、模式的に図示した使用者の顔と腕部分とが含まれる。
【００２０】
例えば、「東」の方位表示部５１に隣り合うイラスト領域６２では、「東」の星空を観察しようとする使用者が星座早見盤を正しい持ち方で持った状態のイラストレーションが表示されている。「西」、「南」、及び「北」の各方位表示部５１に対応したイラスト領域６２においても、それぞれの方位の星空を観察しようとする使用者が星座早見盤を正しい持ち方で持った状態のイラストレーションが表示されている。
【００２１】
各イラスト領域６２に表示されるイラストレーションは、使用者が星座早見盤を正しい持ち方にしたがって持ったときの目線において、ほぼ正しく認識される向きで表示されている。すなわち、各使用者イラスト６２ｂは、実際の使用者が星座早見盤を正しい持ち方にしたがって持った実際の使用者の目線において、ほぼ直立している使用者のイラストとして認識される向きで表示されている。
【００２２】
各説明文領域６３には、それぞれ対応する方位表示部５１に表示された方位が観察の対象となる方位である旨の説明文が表示されている。本実施形態では、「東」の方位表示部５１に対応する説明文は、「東の空を見る」である。「西」、「南」及び「北」の各方位表示部５１に対応した説明文領域６３においても同様に「西の空を見る」等の説明文が表示されている。
【００２３】
説明文を構成する文字は、各説明表示部６１（各説明文領域６３）において互いに異なる向きとなるように配列されている。本実施形態の説明文を構成する文字は、使用者が星座早見盤の正しい持ち方にしたがって星座早見盤を持ったときの目線において、正しく読み取れる向きで配列されている。
【００２４】
例えば、「東」の星空を観察しようとする使用者は、上述したように星座早見盤を持つことになる。このように「東」の星空を観察する際の正しい持ち方にしたがって星座早見盤を持った使用者の目線において、「東」の方位表示部５１に対応した説明文を構成する文字は、左から右へ向かって配列されている。
【００２５】
なお、「東」の方位表示部５１を下方に向けて星座早見盤を持った場合、「西」、「南」及び「北」の各方位表示部５１に対応した説明文を構成する文字の配列は、左右方向（水平方向）に対して傾斜することになる。すなわち、「東」の星空を観察する際の正しい持ち方にしたがって星座早見盤を持った使用者の目線では、「西」、「南」及び「北」の各方位表示部５１に対応した説明表示部に表示されている説明文は、正しく読み取れる向きに対して傾斜した向きとなる。
【００２６】
各方位表示部５１及び各説明表示部６１は、夜間において光の反射による視認性を高めるために、光を反射する機能を有するインキを用いた印刷層から形成されている。こうした印刷層は、例えばシルバー系の色調を有する再帰反射性インキを用いて形成することができる。
【００２７】
＜本体窓部及びカバー窓部の関係＞
図４に示すように、表面部３２を本体盤１１から離間させることで、カバー窓部３２ａを介さずに本体窓部１２のみを介して本体盤１１に表示された星を視認することもできる。この場合、回転盤２１に着色された色の星は、ほぼ無色透明な本体窓部１２を介して視認されるため、回転盤２１に着色された星の色はその色として視認される。
【００２８】
ここで、図２に示すように、カバー窓部３２ａを介して視認される星について説明する。
回転盤２１に表示された星は、異なる色で着色された複数の星を含むとともに、複数の星はカバー窓部３２ａの色とほぼ補色の関係にある色で着色された星を含む。本実施形態のカバー窓部３２ａは、可視光の透過性を有する緑系の色に着色されている。ここで、回転盤２１に表示された星は、赤系の色に着色されている星を含み、この赤系の色はカバー窓部３２ａの色とほぼ補色の関係である。このため、赤系の色に着色されている星はカバー窓部３２ａを介した場合、黒系の色として視認される。一方、回転盤２１に表示される星の背景は、比較的濃い青系の色に着色されている。すなわち、赤系の色に着色されている星は、カバー窓部３２ａを介した場合、回転盤２１の背景色に近い色となる。これにより、赤系の色に着色されている星は、カバー窓部３２ａを介した場合では視認され難くなる。一方、白系や黄系の色については、カバー窓部３２ａを介した場合の色の変化が、例えば赤系の色よりも小さい。このため、白系や黄系の色に着色されている星は、カバー窓部３２ａを介した場合であっても容易に視認される。このように、回転盤２１に表示された星とカバー窓部３２ａとの色が色相環で表される補色の関係に基づいて設定されることで、例えば、主要な星や星座を引き立たせることができる。なお、回転盤２１に表示された星座名等の情報表示の色についても、上記補色の関係に基づいて設定されてもよい。
【００２９】
＜星座早見盤の使い方及び作用＞
使用者は、星空を観察する日時に応じて時刻目盛り２３に月日目盛り２２を合わせる。次に、使用者は、星空を観察しようとする方位を複数の方位表示部５１の中から選択する。このとき、複数の説明表示部６１は、それぞれ対応する方位表示部５１に隣り合って配置されているため、使用者の視線は、選択した特定の方位表示部５１に対応する説明表示部６１に向けられ易くなる。
【００３０】
そして、説明表示部６１を視認した使用者は、早見盤イラスト６２ａに表示される星座早見盤の外形や方位表示部、及び使用者イラスト６２ｂに表示される顔の向き、腕の延びる方向、星座早見盤を持っている手の位置等に基づいて星座早見盤の持ち方を容易に理解することができる。
【００３１】
また、説明文領域６３を視認した使用者は、例えば、その説明文に対応するイラストレーションがいずれの方位の星空を観察しようとする場合のイラストレーションであるかについて理解することができる。
【００３２】
このように使用者は、選択した特定の方位表示部５１とそれに対応する説明表示部６１とを関連づけて、観察しようとする方位とそれに対応した星座早見盤の持ち方を理解する。そして、使用者は、選択した特定の方位表示部５１が下方となるように星座早見盤を手で持ち、星座早見盤を頭の上にかざすように移動させて、本体窓部を介して視認される星と実際の星空の星とを対比する。
【００３３】
本実施形態によって発揮される効果について、以下に記載する。
（１）複数の説明表示部６１は、それぞれ対応する方位表示部５１に隣り合って配置されている。このため、使用者の目線は、特定の方位表示部５１に対応する説明表示部６１に向けられ易くなる。これにより、使用者は、特定の方位表示部５１に対応しない説明表示部６１に惑わされ難くなる。従って、星座早見盤の使い方が理解され易くなる。
【００３４】
（２）説明表示部６１は、星座早見盤の使い方に不慣れな使用者にとって特に有効である一方で、例えば、星座早見盤の使い方を既に習得した使用者にとっては不要となる場合が想定される。この点、カバー３１が複数の説明表示部６１を備える構成にすれば、複数の説明表示部６１が不要となった場合には、それをカバー３１とともに除去することで、よりシンプルな星座早見盤として使用することができる。
【００３５】
（３）複数の説明表示部６１は、イラストレーション又は説明文を含むことが好ましい。この構成によれば、単なる文字や記号のみを表示してなる説明表示部よりも、星座早見盤の使い方を円滑に理解させることができるようになる。特に、複数の説明表示部６１がイラストレーション及び説明文のいずれも含むことで、星座早見盤の使い方をさらに円滑に理解させることができるようになる。
【００３６】
（４）複数の説明表示部６１において説明文を構成する文字の配列される向きは、互いに異なることが好ましい。この構成によれば、各説明文を構成する文字の配列される向きにより、各説明文とそれに対応する方位表示部５１とを関連づけることができる。従って、使用者に方位表示部５１と星座早見盤の使い方とを関連づけて理解させることがさらに容易となる。
【００３７】
（５）説明文を構成する文字は、使用者が星座早見盤の正しい持ち方にしたがって星座早見盤を持ったときの目線において正しく読み取れる向きで配列されていることが好ましい。これにより、使用者は、説明文を正しい向きから読み取ろうとする動作を通じて星座早見盤の正しい持ち方を円滑に理解できるようになる。
【００３８】
（変更例）
・前記各説明文は、使用者が星座早見盤の正しい持ち方にしたがって星座早見盤を持ったときの目線において正しく読み取れる向きに対して傾斜して配列されていてもよい。この場合であっても、各説明文を構成する文字が、各説明表示部６１において互いに異なる向きとなるように配列されていることで、上記（４）で述べた効果を奏する。
【００３９】
・前記各説明文を構成する文字は、各説明表示部６１において同一の向きで配列されてもよい。
・前記各説明表示部６１は、イラストレーション及び説明文のいずれか一方から構成されてもよい。
【００４０】
・前記イラスト領域６２は、早見盤イラスト６２ａと使用者イラスト６２ｂとから構成されているが、例えば使用者イラスト６２ｂを省略して早見盤イラスト６２ａの向きにより持ち方を説明されてもよい。
【００４１】
・前記各説明文は変更されてもよい。例えば、「東」の方位表示部５１に対応する説明文は、「東の空を見るとき下に向けて持つ」に変更されてもよい。このように観察しようとする方位とそれに対応する方位表示部５１を下方に向けて持つ旨を説明する説明文とした場合は、イラストレーションを省略しても星座早見盤の持ち方を理解させることが容易となる。
【００４２】
・前記説明表示部６１は、例えば、使用者が正しい持ち方にしたがって星座早見盤を持ったときに下方となる方向を示す矢印と「下」の文字とを表示する記号表示領域を含んでいてもよい。こうした記号表示領域によっても、星座早見盤の持ち方を説明することも可能である。この場合、イラストレーション及び説明文の少なくとも一方は省略されてもよい。
【００４３】
・前記説明表示部６１は、表面部３２ではなく本体盤１１に設けられてもよい。この場合、カバー３１は省略されてもよい。また、前記説明表示部６１のうち、イラスト領域６２をカバー３１に設けるとともに説明文領域６３を本体盤１１に設けることもできる。
【００４４】
・前記各説明表示部６１は、基材と粘着層と各説明表示部６１を形成する印刷層とを有する貼付体をカバー３１又は本体盤１１に貼り付けることで設けることもできる。この構成によれば、例えば、各説明表示部６１が不要となった場合に、貼付体を剥がすことにより各説明表示部６１を除去することが可能となる。
【００４５】
・前記各方位表示部５１及び各説明表示部６１は、例えば蓄光インキを用いた印刷層から形成されてもよい。
・前記各方位表示部５１は、本体盤１１ではなく表面部３２に設けられてもよい。
【００４６】
・前記実施形態の表面部３２には、例えば図４に示されるように、星座の観察を補助する情報として、天頂、高度目盛り、方位線、及び地上風景のシルエットが表示されているが、これらの情報の少なくとも一種は省略されてもよい。
【符号の説明】
【００４７】
１１…本体盤、１２…本体窓部、２１…回転盤、５１…方位表示部、６１…説明表示部。
【図１】
0003182486.tif 000003
【図２】
0003182486.tif 000004
【図３】
0003182486.tif 000005
【図４】
0003182486.tif 000006